(57)【特許請求の範囲】
【請求項１】
ドア板の下縁部と床との隙間の指詰めによる怪我を防止するためのドア用アタッチメントを設けたドア構造であって、
前記ドア板の下縁部にその全長に渡って取り付けられた状態で、該ドア板の下端部に下向き凹部が形成されるドア用アタッチメントが用いられ、
前記ドア板を閉じた状態で該ドア板直下の床面に設けられた床見切により形成される上向き凸部と、前記下向き凹部とが対向することにより、前記ドア板の厚み方向で、前記隙間の寸法が略一様となることを特徴とするドア構造。
【請求項２】
前記ドア用アタッチメントは、前記ドア板の表側と裏側とにそれぞれ設けられる２つの部材からなり、２つの部材の間が前記下向き凹部となることを特徴とする請求項１に記載のドア構造。
【請求項３】
前記ドア用アタッチメントは、軟質材からなり緩衝性を有することを特徴とする請求項１又は２に記載のドア構造。
【請求項４】
前記隙間の寸法は、０〜１０歳児の足の指詰め防止のための推奨値と、室間の通気のための推奨値の両方を満たすことを特徴とする請求項１乃至３のいずれか１項に記載のドア構造。
【発明の詳細な説明】
【技術分野】
【０００１】
本発明は、部屋のドアに設けられる指詰め防止用のドア用アタッチメントを設けたドア構造に関する。
【背景技術】
【０００２】
従来、ドア（ドア板）の開閉時に、ドア板下縁部と床面との間に足指を挟むこと（いわゆる「指詰め」）を防止するための発明として、下記の特許文献１記載の発明が知られている。
【０００３】
この特許文献１記載の発明においては、ドア板の下縁部を覆うようにカバー部材を設けることにより、ドア板と床面との隙間寸法を足指が挟まらない程度に小さくして、指詰めを防止するものである。
【先行技術文献】
【特許文献】
【０００４】
【特許文献１】特開２００７‐９６４６号公報
【発明の概要】
【発明が解決しようとする課題】
【０００５】
足指が挟まらない程度の隙間寸法の推奨値は、幼児を想定すると１０mm程度以下である。
【０００６】
一方、近年、住宅全体の換気を効率的に行うために、ドア板下の隙間を通気経路として部屋と部屋の間で空気を通気させる方法が主流となっており、通気のための隙間寸法の推奨値は１０ｍｍ程度以上である。
【０００７】
従って、指詰め防止と、部屋間通気の両方の推奨値を満たすためには、ドア板下の隙間寸法を１０mm程度とするのがよい。
【０００８】
ところが、隣接する部屋間の床材の種類が異なる場合に、その境界部（閉められた状態でのドア板の直下）に床面から３ｍｍ程度突出する床見切を設けることがある。この場合、ドア板が閉められた状態でドア板下の隙間寸法が上記した換気のための推奨される隙間寸法を満たすようにすると、ドア板が開閉動作する時の床面との隙間寸法は１３ｍｍ以上となり、指詰めを生じ得る対象者の割合が多くなる。
【０００９】
本発明は、上記の問題に着目してなされたものであり、床見切を設ける場合であっても、指詰め防止機能を確保しつつ、通気用の隙間寸法を十分に確保することができるドア用アタッチメントを設けたドア構造を提供することを目的とする。
【課題を解決するための手段】
【００１０】
前記目的を達成するために、本発明に係るドア用アタッチメントは、ドア板の下縁部と床との隙間の指詰めによる怪我を防止するためのドア用アタッチメントであって、ドア板の下縁部に取り付けられた状態で、下向き凹部が形成されることを特徴とする。
【００１１】
ここで、ドア用アタッチメントが前記ドア板の表側と裏側とにそれぞれ設けられる２つの部材からなり、この２つの部材の間が前記下向き凹部となっていてもよい。
【００１２】
また、上記のドア用アタッチメントが軟質材からなり、緩衝性を有していてもよい。
【００１３】
さらに、本発明に係るドア構造は、上記のドア用アタッチメントが用いられたドア構造であって、ドア板を閉じた状態でドア板直下の床面に設けられた床見切により形成される上向き凸部と、前記下向き凹部とが対向することにより、前記ドア板の厚み方向で、前記隙間の寸法が略一様となることを特徴とする。
【００１４】
前記隙間の寸法は、０〜１０歳児の足の指詰め防止のための推奨値と、室間の通気のための推奨値の両方を満たすものであってもよい。
【発明の効果】
【００１５】
このように構成された本発明に係るドア用アタッチメントやドア構造によれば、床見切を設けた場合であっても、指詰め防止機能を確保しつつ、通気用の隙間寸法を十分に確保することができる。
【図面の簡単な説明】
【００１６】
【図１】図１は本発明に係るドア用アタッチメントを取り付けたドア構造を示す斜視図である。
【図２】（ａ）は、図１のドア構造の正面図である。（b）は、（ａ）のＡ-Ａ線に沿った断面を矢視方向で見た断面図である。（c）は、（ａ）のＢ‐Ｂ線に沿った断面を矢視方向で見た断面図である。
【図３】図２の（c）の床見切周辺を拡大した断面図である。
【図４】（ａ）は、実施の形態のドア用アタッチメントの部分断面斜視図である。（b）は、（ａ）のドア用アタッチメントを取り付けたドア板の下縁部の斜視図であり、ドア板の角部を示し、破線はドア用アタッチメントの突出したＣ字状の弾性体の分布を示す。
【図５】（ａ）および（b）は、実施の形態のドア用アタッチメントの作用を説明する図である。
【図６】幼児における指詰めを生じ得る対象者の割合等について、満年齢別の統計値を示す表である。
【発明を実施するための形態】
【００１７】
以下、本発明に係る実施の形態のドア用アタッチメントとこれを設けたドア構造について図１〜図６を参照しつつ説明する。
【００１８】
図１〜図３に本発明に係る実施の形態のドア構造を示す。
＜ドア構造＞
本発明に係る実施の形態のドア構造１は、隣接する２つの部屋Ｒ１,Ｒ２を仕切る仕切壁２と、この仕切壁２に沿って各部屋Ｒ１,Ｒ２の床材Ｆ１,Ｆ２同士の境界線を覆うように設けられる床見切３と、仕切壁２に形成したドア用開口４を開閉するドア５（主としてドア板５Ａとドア枠５Bとからなる）等と、を有している。
＜床材＞
各部屋Ｒ１,Ｒ２の床材Ｆ１,Ｆ２は、各部屋Ｒ１,Ｒ２の床面６，７を形成し、それぞれ異なる地模様を有している。
【００１９】
各部屋Ｒ１,Ｒ２の床材Ｆ１,Ｆ２は、各部屋Ｒ１,Ｒ２で地模様が異なるため（図示省略）、室内Ｒ１,Ｒ２の意匠性を損ねないように、図１、図２（b）および図３に示すように、床材Ｆ１,Ｆ２同士の境界線（ドア用開口部４の下辺）を覆うように床見切３が設けられている。
＜床見切＞
床見切３は、図３に示すように、断面が略Ｔ字の床見切本体３Ａと、これを受ける断面略Ｕ字状の見切受３Ｂ等とを有している。
【００２０】
床見切３は、仕切壁２の下端面に沿って設けられ（図１参照）、突き合わされた各部屋Ｒ１,Ｒ２の床材Ｆ１,Ｆ２の端部同士を連結している。
【００２１】
見切受３Ｂは、ネジ等により床材Ｆ１,Ｆ２よりも下層の板材や、両側の床材Ｆ１,Ｆ２等に固定されている（図示省略）。
【００２２】
床見切本体３Ａと見切受３Ｂには複数の山からなる係止部が形成されており、この係止部により床見切本体３Ａと見切受３Ｂとが互いに係合することで、床見切本体３Ａが見切受３Ｂに固定される。これにより、床見切本体３Ａが下層の板材や床材Ｆ１,Ｆ２に対して固定されることとなる。
【００２３】
この状態で、床見切本体３Ａの頭部は、上向き凸部として、床材Ｆ１,Ｆ２の各床面６，７から上方に例えば３ｍｍ程度突出する。この上向き凸部により、ドア板５Ａと床面６,７との間に隙間Ｇ１と隙間Ｇ０とが形成され、床見切３の横断方向でドア板５Ａと床面６,７との間の隙間の寸法が一様ではなくなる。
＜入室用・出室用のドア＞
仕切壁２のドア用開口４を開閉するドア５は、図２に示すように、仕切壁２のドア用開口４に嵌め込まれた下枠部のないドア枠５Ｂと、蝶番５Ｃを介して該ドア枠５Ｂに回動可能に取り付けられたドア板５Ａ等と、を有している。
【００２４】
ドア枠５Ｂには、図２（b）及び（c）に示すように、上下方向に延在する戸当８が設けられている。そして、ドア５が閉じられた状態でドア板５Ａの周縁部が戸当８に近接ないし当接するようになっている。
＜ドア用アタッチメント＞
ドア板５Ａの下縁部には、図１，図３および図４（ｂ）に示すように、ドア用アタッチメントとしての二つの部材９,９がそれぞれ表側と裏側とに着脱可能に設けられている。ドア板５Ａを閉じた状態で、図２（ｃ）および図３に示すように、ドア用アタッチメント９,９がドア板５Ａと床面６,７又は床見切３との隙間に突出するようになっている。
【００２５】
ドア用アタッチメント９,９の間には、図３に示すように、床面６，７又は床見切３に対向する下向き凹部１０が形成される。
【００２６】
ドア用アタッチメント９,９は、各部屋Ｒ１,Ｒ２に面するドア板５Ａの各面の下縁部の全長に渡ってそれぞれ設けられている。
【００２７】
このドア用アタッチメント９は、ウレタンフォーム、ポリエチレンフォーム、クロロプレンゴム等の樹脂製で、軟質であり緩衝性がある。
【００２８】
ドア用アタッチメント９は、図３および図４（ａ）に示すように、断面が略Ｌ字状の軟質体９Ａと、断面が略Ｃ字状の軟質体９Ｂとが互いに接合されて形成されている。このうち、断面Ｌ字状の軟質体９Ａより断面Ｃ字状の軟質体９Ｂの方がより軟質となっている。
【００２９】
ドア用アタッチメント９は、ドア板５Ａに取り付けられた状態で、図３に示すように、床面６,７又は床見切３との隙間Ｇ１〜Ｇ３の寸法がそれぞれで略同じ値となるように断面が湾曲した形状を呈している。
【００３０】
ドア用アタッチメント９をドア板５Ａに対して着脱可能に取り付ける方法としては、例えば、ドア用アタッチメント９の長尺寸法をドア板５Ａの横幅より、やや短くすることでドア用アタッチメント９を伸縮させて取り付けてもよい。
【００３１】
これとは別に、再剥離性の粘着テープ等により着脱可能に取り付けてもよい。いずれの場合もドア板５Ａに取り付けた状態で緩衝作用を発揮する状態であればよい。
【００３２】
ドア用アタッチメント９をドア板５Ａに対して着脱可能に設けることで、その後にドア板５Ａに対するドア用アタッチメント９の取付位置の変更や、これによる後述の隙間Ｇ２、Ｇ３の寸法の変更が可能となる。
【００３３】
また、ドア用アタッチメント９，９は、それぞれ別体でありドア板５Ａの厚さ方向で連続していないため、ドア板５Ａの厚さが異なる場合にも対応することができるようになっている。
【００３４】
ドア板５Ａを閉じた状態で、ドア板５Ａと床面６,７又は床見切３との間には、図３や図５（b）に示すように、隙間Ｇ０が生じる。この隙間Ｇ０がドア板５Ａを、開閉する際に足の指詰めを起こす原因となる。
【００３５】
ドア用アタッチメント９は、ドア板５Ａを閉じた状態で、ドア用開口４下辺に露出する床見切３およびその両側の床面６,７に対して、対向し且つ隙間Ｇ２，Ｇ３を形成するように設けられている（図３参照）。
【００３６】
隙間Ｇ２の寸法は、後述の部屋間の通気のための推奨値の範囲内であり、且つ、居住者の指詰めを防止する対象者Ｍに応じて自ずと定まる足の指詰め防止のための推奨値の範囲内の値に設定されている。
【００３７】
この部屋間の通気のための推奨値は、ドア板５Ａを閉じた状態でドア板５Ａと６,７との隙間を通じて部屋Ｒ１,Ｒ２内の空気の換気を好適に行うことが可能な範囲として定められており、ドア板５Ａと床面６,７との隙間（図３、図５（b）参照）の寸法が少なくとも１０ｍｍ程度以上となるようにするのが望ましいとされている。
【００３８】
足の指詰め防止に好適な、足の指詰め防止のための推奨値の範囲については、図６に示す表から分かるように、足の指詰めを防止する対象者Ｍに応じて、その値が異なる。
【００３９】
例えば、足の指詰め防止の対象者Ｍが「２歳児」である場合、図６を参照すると、足の第１指爪基部の高さＦ（図５（b）参照）の平均値が１１．７mmとなるため、ドア板５Ａと床面６や床面７との隙間Ｇ０（図５（b）参照）の寸法が１３ｍｍの場合では、指詰めを生じうる対象者の割合が95％となるが、この隙間Ｇ０の寸法が１０ｍｍの場合であれば５％に低下する。
【００４０】
ここで、２歳児より年下の他の居住者がいない場合、他の居住者の足の指は指詰めを防止する対象者Ｍの足の指より大きいことから、指詰めの可能性が小さくなるため問題とはならない。
【００４１】
よって、このような場合には、ドア用アタッチメント９により、対象者Ｍに合わせてドア板５Ａと床６，７との隙間Ｇ０を部分的に埋めることで隙間Ｇ２としてその寸法を１０ｍｍに設定することで、居住者全員の足の指詰めを防止することができる。
【００４２】
さらに、床面６,７から上方に突出した床見切３の頭部の形状に応じて、床見切３の横断方向で、隙間Ｇ１〜Ｇ３の寸法が一様となるようにドア用アタッチメント９が湾曲形成されていることから、ドア用アタッチメント９がドア板５Ａに取り付けられた状態で、隙間Ｇ３,Ｇ１の寸法が隙間Ｇ２の寸法と略同値の略１０mmに設定されることとなる。
【００４３】
これにより、ドア板の開閉作動時においても床面との隙間Ｇ２の寸法が略１０mmに設定され指詰めの防止効果が確保できる。また、床見切３の横断方向で、隙間Ｇ１〜Ｇ３の寸法が１０mm以上の室間の通気のための推奨値の範囲内の値に一様に設定されることとなるので、その方向で換気時の各部の気圧が一様となって通気がスムーズとなる。
【００４４】
別の例として、例えば、足の指詰め防止の対象者Ｍが「９歳児」である場合、図６を参照すると、足の第１指爪基部の高さＦ（図５（b）参照）の平均値が１５．５mmとなるため、ドア板５Ａと床面６,７との隙間Ｇ０の寸法が１８ｍｍの場合では、指詰めを生じうる対象者の割合が９５％となるが、この隙間Ｇ０の寸法が１３ｍｍの場合であれば５％に低下する。
【００４５】
ここで、９歳児より年下である他の居住者がいない場合、他の居住者の足の指は指詰めの対象者Ｍの足の指より大きいことから、指詰めの可能性が小さく問題とはならない。
【００４６】
よって、このような場合には、ドア用アタッチメント９により対象者Ｍに合わせてドア板５Ａと床６，７との隙間Ｇ０を部分的に埋めることで隙間Ｇ２としてその寸法を１３ｍｍに設定することで、居住者全員の足の指詰めを防止し得る。
【００４７】
そして、上記同様に、床面６,７から突出した床見切３の形状に応じて、隙間Ｇ１〜Ｇ３にかけて寸法が一様となるようにドア用アタッチメント９，９により下向き凹部が形成されていることから、隙間Ｇ３,Ｇ１の寸法も隙間Ｇ２の寸法と同じ略１３mmに設定されることとなる。
【００４８】
これにより、床見切３を横断する方向で隙間Ｇ１〜Ｇ３の寸法が略１３mmに設定され指詰めの防止効果が高まる。また、隙間Ｇ１〜Ｇ３の寸法が１０mm以上の室間の通気のための推奨値範囲内の値に一様に設定されることとなるので、上記の例と同様に、その方向で換気時の各部の気圧が一様となって、通気がスムーズとなる。
【００４９】
このように、居住者の年齢との関係から、足の指詰めが起こりやすい隙間寸法から隙間Ｇ０が外れるように、ドア用アタッチメント９を設けることにより隙間Ｇ２として指詰めの対象者の割合を低減させることができる、
同時に、隙間Ｇ１,Ｇ３の寸法が隙間Ｇ２の寸法と略同値となるため、ドアの厚さ方向で一様の略１０mm以上の室間の通気のための推奨値の範囲内の値に設定され（図３参照）、ドア板５Ａとドア枠５Ｂとの隙間を介した十分な換気機能が損なわれることがない。
【００５０】
いずれの例の場合も、隙間Ｇ０の寸法が略１０mm以上の場合であり、換気機能を十分に確保しつつ、居住者の足の指詰めが防止される。
【００５１】
以下、本発明に係る実施の形態のドア用アタッチメント９とドア構造１についての作用、効果を説明する。
（１）図３に示すように、ドア用アタッチメント９を設けることで、ドア板５Ａと床面６,７との隙間Ｇ０が部分的に埋められて、それより小さい隙間Ｇ２に変更される。
【００５２】
そして、この隙間Ｇ２の寸法を、居住者の年齢との関係から（図６参照）、指詰めを生じ得る対象者の割合が低い、足の指詰め防止のための推奨値に設定するとともに、部屋間の通気のための推奨値の範囲内に収まるように設定することから、ドア５について換気用の隙間寸法を十分確保しつつ、ドア板５Ａの開閉時に起きる居住者の足の指詰めも防止することができる。
（２）図３に示すように、ドア用アタッチメント９、９により下向き凹部が形成されていることにより、閉じた状態のドア板５Ａを横断する方向で、５Ａと床面６,７又はドア板５Ａと床見切３との隙間Ｇ１, Ｇ３（図３参照）の寸法を、上記の隙間Ｇ２の寸法に近い値となるようにしている。これにより、ドア板５Ａと床面６,７との間に、室間の通気のための推奨値である隙間Ｇ１〜Ｇ３からなる換気用の通気路が形成される。
【００５３】
この通気路のいずれの箇所においても、足の指詰めを防止のために好適な隙間Ｇ２とほぼ同じ寸法の隙間Ｇ１,Ｇ３となっていることから、指詰め防止効果が高いものとなる。
【００５４】
また、この通気路を介して室内の換気を行う際に、通気路の隙間Ｇ１〜Ｇ３の寸法が一様であるため、空気圧の偏りが生じにくく、換気時の通気音が発生しにくいものとなる。
（３）さらに、図３に示すように、ドア用アタッチメント９は、ドア板５Ａに取り付けられた状態で、ドア用アタッチメント９のＣ字状の弾性体が各部屋Ｒ１,Ｒ２の床面６,７に向けて突出する。
【００５５】
そのため、図５（ａ）に示すようにドアを開いた際に、万が一、上述した通気路の隙間Ｇ１〜Ｇ３に起因して足の指詰めが起きた場合であっても、この突出部分が足の指が最初に接して変形する。
【００５６】
指の衝突により、室内側に突出するＣ字状の弾性体が指の形状に応じて変化し、さらに下層のＬ字状の弾性体がこれを受承するので、緩衝作用が非常に高いものとなり、足の骨が折れたり、足の指の皮が擦り剥けたりする傷を負うことが防止される。その結果、上述した換気用の通気路を確保しつつ、指詰めによる人Ｍの人的被害を最小限に抑えることができる。
（４）ドア用アタッチメント９のＣ字状の弾性体は室内側に突出し、先端が丸いことからより広角で角度衝突にも対応できる。また、Ｃ字状の弾性体が凸条を形成するために衝突した足の指の作用力を受けやすく変形しやすいことから、指詰め時に直ぐ変形して緩衝能を発揮することができる。
（５）ドア用アタッチメント９をドア板５Ａに対して着脱可能とし、その取付位置（高さ、室内奧行き）や取付方向の調整により、ドア板５Ａと床面６,７又は床見切３との隙間Ｇ１〜Ｇ３の寸法を調節することができる。
【００５７】
このため、例えば最年少の居住者の加齢や居住者の変化に応じて、年齢別に足の指詰めを最も防止できる隙間Ｇ２の寸法に居住者自身が設定変更することが可能となる。
【００５８】
このように、指詰めの対象者Ｍに応じて適した隙間Ｇ２となるように、ドア用アタッチメント９をドア板５Ａに対して着脱等したり、ドア用アタッチメント９を形成したりして好適に足の指詰めを防止することができる。
【００５９】
また、この構成により、ドア用アタッチメント９の部材交換をすることなく隙間Ｇ１〜Ｇ３の寸法を調節して、換気機能を維持したまま足の指詰め防止の効果を好適に得ることができる。
（６）ドア板５Ａが開いた状態となり、床見切３から室内奧の離れた位置に移動しても、足の指詰めの原因となるドア板５Ａの表側と裏側の下縁部がドア用アタッチメント９に覆われているので、図５に示すように、室内Ｒ２の奧の床面７との隙間Ｇ２が形成され、足の指詰め防止機能を確実に発揮することができる。
【００６０】
以上、本発明に係るドア用アタッチメント９およびドア構造１を実施の形態に基づき説明してきたが、具体的な構成については、これらの実施の形態に限られるものではなく、特許請求の範囲の各請求項に係る発明の要旨を逸脱しない限り、設計の変更や追加等は許容される。
【００６１】
実施の形態では隣接する２つの部屋Ｒ１,Ｒ２としたが「部屋」に限らず、例えば一の部屋の隣に廊下等の空間が隣接して廊下の床材が部屋と異なり、上記したドアを介して往来するような場合でも、本発明を適用することができる。
【００６２】
また、実施の形態では、ドア用アタッチメントは２つの部材からなるようにしたが、下向き凹部を有する１つの部品であってもよい。
【符号の説明】
【００６３】
１・・・ドア構造
２・・・仕切壁
３・・・床見切
３Ａ・・・床見切本体
３Ａａ・・・頭部（上向き凸部）
３Ｂ・・・見切受
４・・・ドア用開口
５・・・ドア
５Ａ・・・ドア板
５Ｂ・・・ドア枠
５Ｃ・・・蝶番
６，７・・・床面
８・・・戸当
９・・・ドア用アタッチメント
１０・・・下向き凹部
Ｆ１・・・床材
Ｇ０〜Ｇ３・・・隙間
Ｍ・・・対象者
【図１】
0005926538.tif 000002
【図２】
0005926538.tif 000003
【図３】
0005926538.tif 000004
【図４】
0005926538.tif 000005
【図５】
0005926538.tif 000006
【図６】
0005926538.tif 000007